(57)【要約】【課題】簡単な構成により、不使用時に遊技の邪魔になったり、遊技者に不快感を与えることのないように灰皿の開口を簡単に閉塞できる灰皿取付装置を提供する。【解決手段】灰皿４３は、樹脂製のホルダ４５と、樹脂或いは金属製の灰皿本体４７とを備える。ホルダ４５はほぼ中空の円柱状に成型加工され、周面の一部に着脱口４５１が形成され、収容部４１内に収容される。このとき、ホルダ４１の左右の両側面にはそれぞれ支軸４５３が一体に植設され、両支軸４５３が収容部４１の左、右側壁に形成された凹部に嵌挿し、これによりホルダ４５が支持されてホルダ４５が収容部４１内に回転自在に収容される。また、灰皿本体４７はホルダ４５の内部空間に嵌挿する形状を有し、ホルダ４５の着脱口４５１よりホルダ４５内部に着脱自在に嵌挿され、灰皿本体４７がホルダ４５と一体に回転して開口部分が開閉される。【選択図】        図６
2004173706.tif 000002
【特許請求の範囲】
【請求項１】
遊技機筐体の前面を開閉自在に閉塞するパネルに設けられ、灰皿を前記パネルに取り付ける遊技機の灰皿取付装置において、
前記パネルに設けられ前記灰皿が内側に回転自在に収容される収容部を備え、前記収容部内での前記灰皿自体の回転により、前記灰皿の開口を開、閉状態に切り換えることを特徴とする遊技機の灰皿取付装置。
【請求項２】
前記灰皿が、
ほぼ中空の円柱状を有し周面の一部に着脱口が形成され前記収容部内に収容されるホルダと、
前記ホルダの両側に設けられて前記ホルダを前記収容部に回転自在に支持する支軸と、
前記着脱口より前記ホルダ内部に着脱自在に装着されて前記ホルダと一体に回転する灰皿本体と
を備えていることを特徴とする請求項１に記載の遊技機の灰皿取付装置。
【請求項３】
前記灰皿本体を回転操作するために前記灰皿本体または前記ホルダに設けられた操作手段と、
前記ホルダまたは前記収容部に設けられて前記ホルダの回転範囲を規制する規制手段と、
前記ホルダの周面に設けられ前記支軸に対して回転時の抵抗力を与える方向に前記ホルダを付勢する付勢手段と
を更に備えていることを特徴とする請求項２に記載の遊技機の灰皿取付装置。
【請求項４】
前記灰皿の開口の閉塞時には、前記灰皿を閉塞状態にロックするロック手段を備えていることを特徴とする請求項１ないし３のいずれかに記載の遊技機の灰皿取付装置。
【請求項５】
前記パネルに設けられ払い出しメダルを受けるメダル受けを備え、
前記収容部が前記メダル受けに隣接して配設され、前記メダル受けの側壁が前記収容部の側壁の一部を構成し、
前記ロック手段が、前記メダル受けの側壁及び前記ホルダの側壁を抜き差し自在に貫通する貫通部材を備えている
ことを特徴とする請求項４に記載の遊技機の灰皿取付装置。
【請求項６】
前記貫通部材が、前記メダル受けの側壁または前記ホルダの側壁に形成された螺合孔に螺合するねじであることを特徴とする請求項５に記載の遊技機の灰皿取付装置。
【発明の詳細な説明】
【０００１】
【発明の属する技術分野】
この発明は、遊技機筐体の前面を開閉自在に閉塞するパネルに設けられ、灰皿をパネルに取り付ける遊技機の灰皿取付装置に関する。
【０００２】
【従来の技術】
一般に、スロットマシンやパチンコ機等の遊技機では、前面が開口した箱状の筐体に、その前面全体を覆う大きさのパネルの一側がヒンジにより回転自在に支持され、このパネルにより筐体の前面が閉塞され、シリンダ錠を備えたロック機能を有する開閉装置により開閉可能にロックされるようになっている。
【０００３】
このようなパネルの下部には、通常メダル受けの左側に隣接して灰皿が設けられており、遊技者が喫煙しながら遊技できるようになっており、従来は清掃を容易に行えるように回転可能に灰皿がパネルに取り付けられている。ところが、近年禁煙者の増大に伴い、禁煙者に配慮して、遊技機に設けられている灰皿にブラインド板等を貼るなどして灰皿を使用できないようにし、喫煙コーナーと称される特定場所に設置された灰皿のみ使用できるようにしているパチンコホールが増えつつある。
【０００４】
しかしながら、このように灰皿を塞ぐためのブラインド板等をホール側で別途準備しなければならず、ホール管理者に多くの負担と手間を強いることになり好ましくない。
【０００５】
一方、最近では、灰皿の上部開口を上方から覆う頂壁を有するホルダーを設け、不使用時には灰皿をホルダー内に押し込んで使用できない状態にしておき、使用時には灰皿をホルダーから所定量だけ引き出して灰皿を部分的に露出させ、清掃時には灰皿を使用位置から前端部を下方に揺動させるようにしたものがある（例えば、特許文献１参照。）。
【０００６】
【特許文献１】
特開２００２−２５２号公報（第４頁、図３−５）
【０００７】
【発明が解決しようとする課題】
しかし、従来の灰皿では、ホルダーとして灰皿の上部開口を上方から覆う頂壁を有するものが必要になるため、構成が複雑化するという問題点があった。更に、灰皿を引き出せば、簡単に灰皿を使用できる状態になるため、灰皿を完全に使用できない状態にするには、ホルダー前面をやはり閉塞せざるを得ず、そのための閉塞部材を別途する必要が生じる。ところが、一旦ホルダー前面を閉塞部材により閉塞してしまうと、その閉塞部材を除去するのに過剰な手間がかかるという新たな問題点が生じる。
【０００８】
また、従来の灰皿の場合、パネルから突出しないようにパネル内側に奥まった位置にホルダーを設けているため、パネルにホルダーの配置スペースを確保しなければならないという問題点があった。
【０００９】
一方、このようなパネルの内側におけるホルダー用スペースを不要にし、パネルから前方に突出してメダル受け及び灰皿を配設するタイプの遊技機の場合にはホルダーが大型化し、却ってホルダーが遊技の邪魔になる恐れがある。
【００１０】
また、灰皿に吸い殻がたまっていると、見栄えが悪く、しかも悪臭がするため、遊技者に不快感を与えるという問題もある。
【００１１】
そこで、本発明は、簡単な構成により、不使用時に遊技の邪魔になったり、遊技者に不快感を与えることのないように灰皿の開口を簡単に閉塞できる灰皿取付装置を提供することを目的とする。
【００１２】
【課題を解決するための手段】
上記した目的を達成するために、本発明は、遊技機筐体の前面を開閉自在に閉塞するパネルに設けられ、灰皿を前記パネルに取り付ける遊技機の灰皿取付装置において、前記パネルに設けられ前記灰皿が内側に回転自在に収容される収容部を備え、前記収容部内での前記灰皿自体の回転により、前記灰皿の開口を開、閉状態に切り換えることを特徴としている（請求項１）。
【００１３】
このような構成によれば、収容部内での灰皿自体の回転によって灰皿の開口を開、閉状態に切り換えるようにしたため、灰皿を使用しないときには、例えば灰皿を回転して開口を閉塞することで、灰皿を遊技の邪魔にならない状態にしておくことができ、従来のように閉塞部材等を用いることなく灰皿を使用不能状態に保持することができる。その結果、吸い殻がたまっていても、灰皿を簡単に閉塞できて見栄えを改善でき、吸い殻の悪臭が漂うことも防止できる。
【００１４】
一方、灰皿を使用可能状態にするには、閉塞状態の灰皿を回転して元の開口を開放した状態に戻せばよく、従来のように閉塞部材等を除去する必要もなく、簡単に灰皿を使用可能状態に戻すことができる。
【００１５】
また、本発明は、前記灰皿が、ほぼ中空の円柱状を有し周面の一部に着脱口が形成され前記収容部内に収容されるホルダと、前記ホルダの両側に設けられて前記ホルダを前記収容部に回転自在に支持する支軸と、前記着脱口より前記ホルダ内部に着脱自在に装着されて前記ホルダと一体に回転する灰皿本体とを備えていることを特徴としている（請求項２）。
【００１６】
このような構成によれば、支軸によりホルダを回転自在に収容部内に支持し、ホルダの着脱口よりホルダ内部に灰皿本体が着脱自在に装着したため、灰皿本体をホルダと一体に回転させることができ、灰皿の開口を開、閉状態に容易に切り換えることができる。
【００１７】
また、本発明は、前記灰皿本体を回転操作するために前記灰皿本体または前記ホルダに設けられた操作手段と、前記ホルダまたは前記収容部に設けられて前記ホルダの回転範囲を規制する規制手段と、前記ホルダの周面に設けられ前記支軸に対して回転時の抵抗力を与える方向に前記ホルダを付勢する付勢手段とを更に備えていることを特徴としている（請求項３）。
【００１８】
このような構成によれば、付勢手段により支軸に対して回転時の抵抗力を与える方向にホルダが付勢されているため、操作手段を操作して灰皿本体をホルダと一体に回転させたときに、灰皿本体を円滑に回転させることができる。更に、規制手段によりホルダの回転範囲が規制されているため、操作手段を操作して灰皿本体を回転させることで、灰皿本体を開放状態及び閉塞状態に切り換えることができる。更に、付勢手段の付勢力により、外部から衝撃が加わっても灰皿の開口を閉塞或いは開放状態に保持することができる。
【００１９】
また、本発明は、前記灰皿の開口の閉塞時には、前記灰皿を閉塞状態にロックするロック手段を備えていることを特徴としている（請求項４）。このような構成によれば、遊技機を管理するホール側の判断で、遊技者の客層等に応じ、ロック手段により灰皿を閉塞状態にロックするかしないかを選択して簡単に対応することができる。
【００２０】
また、本発明は、前記パネルに設けられ払い出しメダルを受けるメダル受けを備え、前記収容部が前記メダル受けに隣接して配設され、前記メダル受けの側壁が前記収容部の側壁の一部を構成し、前記ロック手段が、前記メダル受けの側壁及び前記ホルダの側壁を抜き差し自在に貫通する貫通部材を備えていることを特徴としている（請求項５）。
【００２１】
このような構成によれば、遊技機が複数連設されていて、ある遊技機の灰皿とこれに連設する遊技機との間に隙間がない場合であっても、当該遊技機のメダル受け側から貫通部材をメダル受けの側壁及び灰皿の側壁に貫通することによって、灰皿を容易に閉塞状態にロックすることができる。
【００２２】
また、本発明は、前記貫通部材が、前記メダル受けの側壁または前記ホルダの側壁に形成された螺合孔に螺合するねじであることを特徴としている（請求項６）。
【００２３】
このような構成によれば、貫通部材であるねじをメダル受けの側壁及びホルダの側壁の螺合孔に螺合してホルダの側壁を貫通することにより、灰皿を簡単に閉塞状態にロックすることができる。
【００２４】
【発明の実施の形態】
この発明を遊技機であるスロットマシンに適用した場合における一実施形態について図１ないし図７を参照して説明する。但し、図１はスロットマシンの正面図、図２は灰皿の正面図、図３は図２のＡ−Ａ’断面における切断右側面図、図４及び図５はホルダの正面図及び右側面図、図６及び図７は図２のＢ−Ｂ’断面におけるそれぞれ異なる状態での動作説明用の切断右側面図である。
【００２５】
本実施形態におけるスロットマシンは、例えば図１に示すように構成されている。即ち、図１に示すように、スロットマシン１では、筐体３の前面開口が前面パネル５により開閉自在に閉塞され、この前面パネル５のほぼ中央高さの位置に操作板７が配設されると共に、この操作板７の上方に正面板９が配設されている。このとき、前面パネル５の左端部がヒンジにより筐体３に回転自在に支持されて、筐体３の前面全体が前面パネル５により覆われて閉塞される。
【００２６】
そして、図１に示すように、この正面板９には３個のリール窓１１が並設され、各リール窓１１の内側には左、中、右の各回転リールが配置され、右端のリール窓１１の横には、ゲームの演出用画面を表示する液晶ディスプレイ１３が配設されており、各リール窓１１からは、各リールの図柄が各々３個ずつ見えるように設定されている。
【００２７】
更に、図１に示すように、操作板７には、クレジットされているメダルの枚数を減じてメダル投入に代えるためのベットスイッチ１５、各リールの回転を開始させるためのスタートレバー１７、第１ないし第３ストップスイッチ１９，２１，２３、及び、メダル投入口２５や貯留メダルを払い出すための精算スイッチ２７が設けられている。
【００２８】
また、図１に示すように、正面板９には入賞ラインが描かれると共に、入賞ライン中の有効ラインを表示する有効表示ランプ３１、ボーナスゲームの状態などを表示する種々の演出表示ランプ３３、クレジットメダルの枚数を表示するメダル枚数表示器３５が正面板９に配設され、操作板７の下方にはメダル払出口３７や、この払出口３７から払い出されるメダルを受けるメダル受け３９が設けられている。
【００２９】
ところで、特に図２に示されるように、メダル受け３９の左方に隣接して灰皿を収容するためにドラム状の空間を有する収容部４１が設けられ、灰皿４３がこの収容部４１内に回転自在に収容されて、以下に詳述するような灰皿取付装置により取り付けられている。
【００３０】
即ち、図２ないし図５に示すように、灰皿４３は、樹脂製のホルダ４５と、樹脂或いは金属製の灰皿本体４７とを備えている。そして、ホルダ４５はほぼ中空の円柱状に成型加工され、周面の一部に着脱口４５１が形成され、収容部４１内に収容される。このとき、ホルダ４５の左右の両側面にはそれぞれ支軸４５３が一体に植設され、両支軸４５３が収容部４１の左、右側壁に形成された凹部（図示せず）に嵌挿し、これによりホルダ４５が支持されてホルダ４５が収容部４１内に回転自在に収容されている。
【００３１】
更に、ホルダ４５の着脱口４５１に臨む周面の一部には、両支軸４５３に対して回転時の抵抗力を与える方向にホルダ４５を付勢する付勢手段としてのばね部４５５が一体形成され、このばね部４５５の先端に一体形成された鈎部４５７が収容部４１の曲面状を成す後側壁に形成されたガイド溝４１１内を摺動しするように配設され、鈎部４５７の先端部がガイド溝４１１の両端に当接したときに、ホルダ４５の回転が規制されるようになっている。このように、ばね部４５５の鈎部４５７及びガイド溝４１１の組み合わせにより、ホルダ４５の回転範囲を規制する規制手段が構成されている。尚、ばね部４５５の付勢力により、衝撃等によって閉塞或いは開放状態の灰皿４３が開放或いは閉塞状態に簡単に回転してしまうことが防止されている。
【００３２】
また、灰皿本体４７はホルダ４５の内部空間に嵌挿する形状を有し、ホルダ４５の着脱口４５１よりホルダ４５内部に着脱自在に嵌挿され、ホルダ４５と一体に回転する。ここで、灰皿本体４７には、灰皿本体４７を回転操作するための操作手段としてのノブ４７１が形成され、このノブ４７１は、灰皿本体４７をホルダ４５内に嵌挿した状態でノブ４７１の端部がホルダ４５よりも前方に突出して把持できるような形状に形成されている。更に、ホルダ４５に装着状態における灰皿本体４７の前内側には、煙草の火消し座４７３が形成され、この火消し座４７３の中央には喫煙途中の煙草を載置するための断面ほぼ半円状の凹溝４７５が形成されている。
【００３３】
そして、ノブ４７１を持って灰皿本体４７をホルダ４５と一体に回転することで、灰皿４３の開口である灰皿本体４７の開口部分を開状態及び閉状態に切り換えることができるのである。
【００３４】
更に、灰皿４３を閉塞状態にロックするロック手段５１が設けられ、このロック手段５１は、収容部４１の右側壁を兼ねるメダル受け３９の左側壁３９１及びホルダ４５の右側壁を抜き差し自在に貫通する貫通部材としてのねじ５１１と、メダル受け３９の左側壁３９１に形成された螺合孔５１３及びホルダ４５の右側壁に形成された挿通孔４５９とにより構成され、ホルダ４５の螺合孔５１３にねじ５１１が螺合して挿通孔４５９まで貫通することにより、灰皿４３が閉塞状態にロックされる。そのため、ホール側の判断で、遊技者の客層等に応じ、ロック手段５１により灰皿４３を閉塞状態にロックするかしないかを選択し、簡単に対応することができる。
【００３５】
このような灰皿取付装置により前面パネル５に取り付けられた灰皿４３を使用しないときには、図６に示すように、灰皿本体４７の開口部分が開放されて使用可能状態にあった灰皿４３を、ノブ４７１を持って両支軸４５３を回転中心にして同図中のＸ矢印方向に回転すると、やがてばね部４５５の鈎部４５７が、図７に示すようにガイド溝４１１の下端に当接してそれ以上の回転が規制され、このとき灰皿本体４７の開口部分が閉塞されて灰皿４３は使用不能状態となる。この状態でねじ５１１を螺合孔５１３に螺合することにより、灰皿４３が回転しないようにロックされる。
【００３６】
一方、このように開口が閉塞されて使用不能状態となった灰皿４３を使用可能状態に戻すときには、上記した閉塞時の動作とは逆に、ねじ５１１を螺合孔５１３から外し、ノブ４７１を持って灰皿４３を図７中のＹ矢印方向に回転すると、やがてばね部４５５の鈎部４５７が、図６に示すようにガイド溝４１１の上端に当接してそれ以上の回転が規制され、このとき灰皿本体４７の開口部分が開放されて灰皿４３は使用可能状態となる。
【００３７】
従って、上記した実施形態によれば、収容部４１内での灰皿本体４７の回転によって灰皿４３の開口である灰皿本体４７の開口部分を開状態及び閉状態にそれぞれ切り換えることができるため、灰皿４３を使用しないときには、灰皿４３を回転して開口を閉塞することで、灰皿を遊技の邪魔にならない状態にしておくことができ、従来のように閉塞部材等を用いることなく簡単かつ安価な構成により灰皿４３を閉塞して使用不能状態に保持することができる。その結果、吸い殻がたまっていても、灰皿４３を簡単に閉塞できて見栄えも良くなり、吸い殻の悪臭が漂うことも防止できる。
【００３８】
また、灰皿４３を使用可能状態に戻すには、閉塞状態の灰皿４３を元の状態に回転して開口を開放させればよく、従来のように閉塞部材等を除去する必要もなく、簡単に灰皿４３を使用可能状態に戻すことができる。
【００３９】
更に、ばね部４５５の付勢力により、外部から衝撃が加わっても灰皿４３の開口を確実に閉塞或いは開放状態に保持することができる。
【００４０】
また、閉塞状態の灰皿４３をロックするロック手段５１を設けたため、ホール側の判断で、遊技者の客層等に応じ、ロック手段により灰皿を閉塞状態にロックするかしないかを選択して簡単に対応することができる。
【００４１】
更に、使用可能状態、使用不能状態のいずれであっても、灰皿４３が収容部４１よりも上方に突出することがないため、使用可能状態及び使用不能状態において灰皿４３が遊技の邪魔になることを防止でき、遊技者に快く遊技を楽しんでもらうことができる。
【００４２】
なお、本発明は上記した実施形態に限定されるものではなく、その趣旨を逸脱しない限りにおいて上述したもの以外に種々の変更を行うことが可能である。
【００４３】
例えば、上記した実施形態では、支軸４５３をホルダ４５側に、支軸４５３が嵌挿する凹部を収容部４１側に形成した場合について説明したが、支軸４５３を収容部４１側に、凹部をホルダ４５側に形成してもよいのは言うまでもない。
【００４４】
更に、上記した実施形態では、灰皿４３をホルダ４５及び灰皿本体４７の組み合わせにより構成した例を示しているが、灰皿４３は特にこのような構成に限定されるものではなく、要するに灰皿４３自体を回転自在に収容部４１内に収容できればよく、好ましくは灰を除去しやすいように灰皿４３を収容部４１から取り外しできるものであればよい。
【００４５】
また、上記した実施形態では、ロック手段５１をねじ５１１、螺合孔５１３及び挿通孔４５９により構成した場合について説明したが、ロック手段は閉塞状態の灰皿４３をロックできる構成であればどのようなものであっても構わない。例えば、ねじ５１１に代えてその他のピン状の貫通部材を用い、差し込んだときに貫通部材をその状態に維持すべく係止できるようにしておけばよい。
【００４６】
更に、上記した実施形態では、ノブ４７１を灰皿本体４７の前側に設けた場合について説明したが、収容部４１の左側或いは右側（右側の場合にはメダル受け３９内）に灰皿本体４７を回転させるための操作手段を設けてもよいのは勿論である。
【００４７】
また、上記した実施形態では本発明をスロットマシンに適用した例を説明したが、パチンコ機といった他の遊技機にも本発明を適用することができ、その場合にも上記した実施形態と同等の効果を得ることができる。
【００４８】
【発明の効果】
以上のように、請求項１に記載の発明によれば、収容部内での灰皿自体の回転によって灰皿の開口を開、閉状態に切り換えるようにしたため、灰皿を使用しないときには、例えば灰皿を回転して開口を閉塞することで、灰皿を遊技の邪魔にならない状態にしておくことができ、従来のように閉塞部材等を用いることなく灰皿を使用不能状態に保持することが可能になる。その結果、吸い殻がたまっていても、灰皿を簡単に閉塞できて見栄えを改善でき、吸い殻の悪臭も防止することが可能になる。
【００４９】
更に、灰皿を使用可能状態にするには、閉塞状態の灰皿を回転して元の開口を開放した状態に戻せばよく、従来のように閉塞部材等を除去する必要もなく、簡単に灰皿を使用可能状態に戻すことが可能になる。
【００５０】
また、請求項２に記載の発明によれば、支軸によりホルダを回転自在に収容部内に支持し、ホルダの着脱口よりホルダ内部に灰皿本体が着脱自在に装着したため、灰皿本体をホルダと一体に回転させることができ、灰皿の開口を開、閉状態に容易に切り換えることが可能になる。
【００５１】
また、請求項３に記載の発明によれば、付勢手段により支軸に対して回転時の抵抗力を与える方向にホルダが付勢されているため、操作手段を操作して灰皿本体をホルダと一体に回転させたときに、灰皿本体を円滑に回転させることができる。更に、規制手段によりホルダの回転範囲が規制されているため、操作手段を操作して灰皿本体を回転させることで灰皿本体を開放状態及び閉塞状態に切り換えることが可能になる。更に、付勢手段の付勢力により、外部から衝撃が加わっても灰皿の開口を閉塞或いは開放状態に保持することができる。
【００５２】
また、請求項４に記載の発明によれば、灰皿を閉塞状態にロックするロック手段を設けたため、遊技機を管理するホール側の判断で、遊技者の客層等に応じ、ロック手段により灰皿を閉塞状態にロックするかしないかを選択して簡単に対応することが可能になる。
【００５３】
また、請求項５に記載の発明によれば、遊技機が複数連設されていて、ある遊技機の灰皿とこれに連設する遊技機との間に隙間がない場合であっても、当該遊技機のメダル受け側から貫通部材をメダル受けの側壁及び灰皿の側壁に貫通することによって、灰皿を容易に閉塞状態にロックすることが可能になる。
【００５４】
また、請求項６に記載の発明によれば、貫通部材であるねじをメダル受けの側壁及びホルダの側壁の螺合孔に螺合してホルダの側壁を貫通することにより、灰皿を簡単に閉塞状態にロックすることが可能になる。
【図面の簡単な説明】
【図１】この発明の一実施形態におけるスロットマシンの正面図である。
【図２】この発明の一実施形態の灰皿の正面図である。
【図３】図２のＡ−Ａ’断面における切断右側面図である。
【図４】この発明の一実施形態のホルダの正面図である。
【図５】この発明の一実施形態のホルダの右側面図である。
【図６】図２のＢ−Ｂ’断面におけるある状態での動作説明用の切断右側面である。
【図７】図２のＢ−Ｂ’断面における異なる状態での動作説明用の切断右側面である。
【符号の説明】
１      スロットマシン（遊技機）
５      前面パネル
３９    メダル受け
４１    収容部
４３    灰皿
４５    ホルダ
４７    灰皿本体
５１    ロック手段
４１１  ガイド溝（規制手段）
４５１  着脱口
４５３  支軸
４５５  ばね部（付勢手段）
４５７  鈎部（規制手段）
４５９  挿通孔（ロック手段）
４７１  ノブ（操作手段）
５１１  ねじ（ロック手段）
５１３  螺合孔（ロック手段）
【図１】
2004173706.tif 000003
【図２】
2004173706.tif 000004
【図３】
2004173706.tif 000005
【図４】
2004173706.tif 000006
【図５】
2004173706.tif 000007
【図６】
2004173706.tif 000008
【図７】
2004173706.tif 000009